【事件の表示】
　平成　３年特許願第　１４９０８号「ディスクカートリッジ」拒絶査定に対する審判事件［平成　４年　８月３１日出願公開、特開平　４−２４３０７３］について、次のとおり審決する。
【結　論】
　本件審判の請求は、成り立たない。
【理　由】
１、手続の経緯、本願発明の認定
　本願は、平成３年１月１６日の出願であって、その発明は、補正された明細書及び図面の記載によれば特許請求の範囲の請求項１に記載された次のとおりの
「ディスクが回転可能に収納されるとともに上記ディスクの信号記録部の一部を外方側に臨ませる開口部と一側面側に溝部とが形成されたカートリッジと、
　上記カートリッジの上記溝部が形成されている側の面に沿って上記開口部を開閉する方向に移動可能に取り付けられ、上記開口部を開閉する板状部と当該板状部と略直交し且つ上記溝部が形成された側の面と対峙するスライド部とを有し、
自己潤滑性を有する合成樹脂材料により一体に形成されたシャッタ部材とを備え、
　上記シャッタ部材は、上記板状部の上記シャッタ部材の移動方向に亘る幅よりも上記シャッタ部材の移動方向と平行な方向に上記スライド部から突出する突出部が設けられているとともに、上記スライド部の上記カートリッジの溝部が形成された側の面と対峙する面の上記突出部が設けられている端とは反対の端側の面と上記突出部の上記カートリッジの溝部が形成された側の面と対峙する面の各々の面から突出して上記溝部と係合する複数の係合部が形成され、上記複数の係合部のうちの一つの係合部は上記突出部の先端側に設けられており、他の係合部は上記スライド部の上記突出部が形成された側とは反対側に設けられているディスクカートリッジ。」
の発明（以下、本願発明という）であると認められる。
　
２、刊行物記載発明の認定
（１）当審が拒絶の理由に引用した実願昭６３−８８５０号の願書に添付された明細書・図面を撮影したマイクロフィルム（実開平１ー１１３８８５号参照）（以下、刊行物１という）は、
ディスクカートリッジに関するものであって、以下の記載がある。
（ａ）実用新案登録請求の範囲の請求項１
「（１）ディスク（１）を回転可能に収納するケ−ス（２）に形成されたピックアップ挿入孔（３）を開閉するシャッタ板の上板（４１）及び下板（４２）をスライダ（４３）にそれぞれ連結して断面がほぼコ字状に構成したシャッタ（４）を具備するディスクカートリッジにおいて、前記シャッタ（４）の上板（４１）及び下板（４２）と前記スライダ（４３）との接合面に対向して係合孔（６）と該係合孔（６）に嵌入する突起（７）とをそれぞれ備えると共に、さらに前記スライダ（４３）の接合面と、これに対向する前記上板（４１）及び下板（４２）との対接面とに可変当片（８）を持った嵌入部（９）と、この嵌入部（９）に前記可変当片（８）を湾曲させて押込まれる規制ロック片（ｌ０）とを設けたことを特徴とするディスクカ−トリッジ。」
（ｂ）６頁１−１５行
「ピックアップ挿入孔３を開閉する金属製（ＳＵＳ）のシャッタ板の上板４１及び下板４２をポリアセタール樹脂などの滑性良好な材質のスライダ４３にそれぞれ連結して断面がほぼコ字状に構成したシャッタ４を備えたものであって、この前記シャッタ４の上板４１及び下板４２と前記スライダ４３との接合面に対向して係合孔６と該係合孔６に嵌入する突起７とをそれぞれ備えると共に、さらに前記スライダ４３の接合面と、これに対向する前記上板４１及び下板４２との対接面とに可変当片８を持った嵌入部９と、この嵌入部９に前記可変当片８を湾曲させて押込まれる規制ロック片１０とを設けたシャッタ構造で前記ケース２に摺動自在に配備してディスクカートリッジとしてある。」
（ｃ）７頁１４−１９行
「さらに、前記スライダ４３は、その内側面の中央にスライダ移動方向に添った仕切壁１４を突設し、その仕切壁１４で区画される上下内側面に前記可変当片８とスライド方向の位置規制をする突起７とをそれぞれ両サイドに−対設けたものである」
（ｄ）８頁８−１２行
「また前記スライダ４３に設けられる仕切壁１４にはケース側壁に設けたガイド長溝に嵌入係支されスライドしやすくし、ケース表面にある凹面状のスライド領域１２にシャッタ４の上板４１と下板４２が摺動するようになっており」
（ｅ）１０頁７行−１１頁５行
「〔考案の効果〕
　本考案は、シャツタの前記シャッタの上板及び下板と前記スライダとの接合面に対向して係合孔と該係合孔に嵌入する突起とをそれぞれ備えると共に、さらに前記スライダの接合面と、これに対向する前記上板及び下板との対接面とに可変当片を持った嵌入部と、この嵌入部に前記可変当片を湾曲させて押込まれる規制ロック片とを設けたことにより、シャッタ板をカートリッジケース本体に摺動自在にセットしたのち、スライダをシャッタ板に押し込んで連結固着一体化すると同時にケース装着することができることとなり、シャッタの組み立て並びにケースへの装着が著しく容易となり、作業効率を大幅に高めて生産性を向上でき、シャッタの結合状態も良好で、円滑なスライド動作をも保証してディスクカートリッジの信頼性を大幅に高められると共に、ディスクに対しての悪影響を及ぼす不具合やケースの外観上の劣化のおそれがなく安全に用いられるものである。」
　以上の記載から刊行物１には、　　　　　　　
　
　ディスク１が回転可能に収納されるとともに上記ディスクの信号記録部の一部を外方側に臨ませるピックアップ挿入孔３と一側面側に溝部とが形成されたカートリッジと、
　上記カートリッジの上記溝部が形成されている側の面に沿って上記ピックアップ挿入孔３を開閉する方向に移動可能に取り付けられ、上記ピックアップ挿入孔３を開閉する上板４１と下板４２と当該上板と下板と略直交し且つ上記溝部が形成された側の面と対峙する滑性良好なポリアセタール樹脂からなるスライダ４３とにより組み合わせ形成されたシャッタ４とを備え、
　上記シャッタ４は、上記上板４１と下板４２の上記シャッタ４の移動方向に亘る幅よりも上記シャッタ４の移動方向と平行な方向に上記スライダ４３から突出する突出部が設けられているとともに、上記スライダ４３の上記カートリッジの溝部が形成された側の面と対峙する面から突出して上記溝部と係合する仕切壁１４が形成された、
　ディスクカートリッジ
　
　の発明（以下、刊行物１記載発明という）が記載されているものと認める
　
（２）実願昭６０−５５７５６号の願書に添付された明細書及び図面を撮影したマイクロフィルム（実開昭６１−１７４０７７号参照）（以下、刊行物２という）には、
　
　上部シャッタ部と下部シャッタ部とスライドガイド部とからなるシャッタ板を金属板から一体に構成し、ディスクカートリッジのシャッタ部よりガイド溝にガイドさせるスライドガイド部をガイド溝方向に延在させ、ガイド部の両端部にガイド片を形成したデスクカートリッジ。
　
の発明（以下、刊行物２記載発明という）が記載されている。
　
３、対比
　刊行物１記載発明の（イ）「ディスク１が回転可能に収納されるとともに上記ディスクの信号記録部の一部を外方側に臨ませるピックアップ挿入孔３と一側面側に溝部とが形成されたカートリッジ」（ロ）「上記カートリッジの上記溝部が形成されている側の面に沿って上記ピックアップ挿入孔３を開閉する方向に移動可能に取り付けられ、上記ピックアップ挿入孔３を開閉する上板４１と下板４２」（ハ）「スライダ４３」（ニ）「シャッタ４」（ホ）「上記シャッタ４は、上記上板４１と下板４２の上記シャッタ４の移動方向に亘る幅よりも上記シャッタ４の移動方向と平行な方向に上記スライダ４３から突出する突出部」（ヘ）「上記スライダ４３の上記カートリッジの溝部が形成された側の面と対峙する面から突出して上記溝部と係合する仕切壁１４」（ト）「ディスクカートリッジ」と、本願発明の（イ）「ディスクが回転可能に収納されるとともに上記ディスクの信号記録部の一部を外方側に臨ませる開口部と一側面側に溝部とが形成されたカートリッジ」（ロ）「上記カートリッジの上記溝部が形成されている側の面に沿って上記開口部を開閉する方向に移動可能に取り付けられ、上記開口部を開閉する板状部」（ハ）「当該板状部と略直交し且つ上記溝部が形成された側の面と対峙するスライド部」（ニ）「シャッタ部材」（ホ）「上記シャッタ部材は、上記板状部の上記シャッタ部材の移動方向に亘る幅よりも上記シャッタ部材の移動方向と平行な方向に上記スライド部から突出する突出部」（ヘ）「上記スライド部の上記カートリッジの溝部が形成された側の面と対峙する面の上記突出部が設けられている端とは反対の端側の面と上記突出部の上記カートリッジの溝部が形成された側の面と対峙する面の各々の面から突出して上記溝部と係合」する「係合部が形成」（ト）「ディスクカートリッジ」とは対応する構成であり、
　
　以上のことから、刊行物１記載発明と本願発明とは、本願発明の用語をもって表記すれば、
　
　ディスクが回転可能に収納されるとともに上記ディスクの信号記録部の一部を外方側に臨ませる開口部と一側面側に溝部とが形成されたカートリッジと、
　上記カートリッジの上記溝部が形成されている側の面に沿って上記開口部を開閉する方向に移動可能に取り付けられ、上記開口部を開閉する板状部と当該板状部と略直交し且つ上記溝部が形成された側の面と対峙するスライド部とを有し、
　シャッタ部材とを備え、
　上記シャッタ部材は、上記板状部の上記シャッタ部材の移動方向に亘る幅よりも上記シャッタ部材の移動方向と平行な方向に上記スライド部から突出する突出部が設けられているとともに、上記スライド部の上記カートリッジの溝部が形成された側の面と対峙する面の上記突出部が設けられている端とは反対の端側の面と上記突出部の上記カートリッジの溝部が形成された側の面と対峙する面の各々の面から突出して上記溝部と係合する係合部が形成されているディスクカートリッジ
　
では一致するするものの、
　（１）シャッタ部材が、刊行物１記載発明では、２枚の金属板と滑性良好な材質のポリアセタール樹脂からなるスライダとにより組み合わせ形成されているのに対して、本願発明は、自己潤滑性を有する合成樹脂で２枚の板状部とスライド部とが一体に構成されている点で構成が相違する（以下、相違点１という）。
　（２）係合部の構成が、刊行物１スライダの突出部全長に亘る仕切壁を有しているのに対して、本願発明では「溝部と係合する複数の係合部が形成され」と複数の係合部から構成され、かつこの複数の係合部の突出部における取付位置が「上記複数の係合部のうちの一つの係合部は上記突出部の先端側に設けられており、他の係合部は上記スライド部の上記突出部が形成された側とは反対側に設けられている」と突出部の両端側に設けられていることで相違する。（以下相違点２という）
　
４、相違点に対する当審の判断
（１）相違点１について
　刊行物２には２枚のシャッタ板とスライダを金属製ではあるが一体に構成したシャッタ部材が記載されている。しかも、シャッタ部材はシャッタは滑性が良くないと開閉がスームーズに行なえなことは明らかである。そのため、刊行物１もスライダの部分のみであるがポリアセタールからなる滑性良好なる材質を用いて開閉をスムーズにしている。この刊行物１のポリアセタールは、本願発明の自己潤滑性を有する合成樹脂の具体材料であることは、本願の明細書の【００３３】に記載があり、本願発明も自己潤滑性を有する合成樹脂としてこのポリアセタール以外の材料につては記載がない。
　これらのことを総合すれば、刊行物１記載発明においても２枚のシャッタ部材とスライダを１つの材料で一体に構成することは当業者が容易に想到し得たところにすぎず、その際、シャッタ部材の材料も、シャッタ部材の開閉はスームーズに行なえなければならないということからして、刊行物１がそのスライダの材質として利用しているポリアセタールのような自己潤滑性を有する合成樹脂を用いることは、当然に考慮および採用し得ることと認める。　
　
（２）相違点２について
　刊行物２記載発明には、スライダに設けた係合部の位置が本願発明とは異なるカートリッジ面で対峙してはいるものの、シャッタ板の幅内とシャッタ板から延在したスライダの部分に係合部を複数設けた構成が開示されている。このようなスライダにおける係合部の構成が連続でなく複数の係合部で構成することは、当審が引用した刊行物２以外にも原審が通知した拒絶理由で引用した特開昭６３−１４４４７８号公報の第３図・第４図にも記載されている程度に当技術分野に於いて普通に提案されている程度の構成に他ならないから、刊行物１記載発明においても本願発明の係合部に相当する仕切壁を、スライダの長さ全体に連続して構成する代わりにシャッタ板の幅内とシャッタ板から延在したスライダの部分に設けることは当業者が必要に応じて採用し得る程度のことと認める。
　
（３）上記相違点に関しての請求人の意見書の主張について
　請求人は意見書において、刊行物１記載発明と刊行物２記載発明の構成と材質の相違を述べ組み合わせることの技術的困難性を述べているが、シャッタ部材の構造と材質とは分離可能の構成であり一体不可分のものではないので、刊行物１及び刊行物２記載発明に開示された技術思想を組み合わせることに技術的な困難性があるとすることはできない。
　
５、むすび
　したがって、本願発明は、当審が示した刊行物１および２に記載された各発明に基づいて当業者が容易に発明をすることができたものと認められるので、特許法第２９条第２項の規定により特許をすることができない。　　
　よって結論のとおり審決する。